【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
外部のコンピューティングシステムとインターフェースして物理層信号をチャネリングする複数の通信ポート；
ネットワーク装置内の物理層シグナルを伝送する各通信ポートに接続され、動的に相互接続してデータコンジットを形成できる多数の個別シグナルチャネルを含むクロスポイントスイッチ；
外部のコンピューティングシステムのコマンドに応答する物理層シグナルのルーティングをコントロールし、クロスポイントスイッチとインターフェースしてシグナルチャネル間を接続または切断することによりデータコンジットを操作処理する管理モジュール；及び
内部ルーティングループ内でクロスポイントスイッチに接続され、クロスポイントスイッチからの内部伝番物理層シグナルをデコードし、クロスポイントスイッチを経由して宛先通信ポートに復帰する前に物理層シグナルから抽出されたデータを処理するプロセッシングユニットであって、前記内部ルーティングループがプロセッシングユニットを多数のクロスポイントスイッチシグナルチャネルに接続するプロセッシングユニット；を含むネットワーク装置。
【請求項２】
前記プロセッシングユニットを着脱自在に支持するマウンティングソケットを含み、前記マウンティングソケットがプロセッシングユニットを内部ルーティングループとインターフェースで接続する請求項１に記載のネットワーク装置。
【請求項３】
前記プロセッシングユニットと一体化されたプログラマブルロジックデバイスを含む請求項１または２に記載のネットワーク装置。
【請求項４】
着脱自在のソケットを受け、かつクロスポイントスイッチのシグナルチャネルを有するソケットモジュールの内部で個々のポートソケットとインターフェースする、通信インターフェーススロットを含む請求項１〜３のいずれかに記載のネットワーク装置。
【請求項５】
前記管理モジュールと一体化されたルーティングコントローラーを含み、コントローラーが定義された送信元ポートのセットをプロセッシングユニット内の多重ステージを最小にする多重操作用のクロスポイントスイッチを構成する請求項１〜４のいずれかに記載のネットワーク装置。
【請求項６】
ロジックブロックの最小セットを多重操作及び指定された通信ポートからのチャネル物理層シグナル用のプロセッシングユニット内で決定して、ロジックブロックの利用を最適化する最小セット内でロジックブロックに相当するプロセッシングユニットにインターフェースをインプットするルーティングコントローラーを含む請求項１〜４のいずれかに記載のネットワーク装置。
【請求項７】
管理インターフェースを経由する個別の通信ポートの構成を促進するスイッチングモジュールを含み、管理モジュールがクロスポイントスイッチ内でシグナルチャネルと相互に接続して、スイッチングモジュールを経由して受信されるコンフィギュレーションコマンドに応答する通信ポートにリンクする請求項１〜６のいずれかに記載のネットワーク装置。
【請求項８】
管理インターフェースを経由するスイッチングモジュールによりサポートされるコンフィギュレーションコマンドが、更新日時の記録、リンク品質監視、イングレスフィルタリング、サービス律速の特性、パケットカウンティング及びポート間通過ルーティングを含む請求項７に記載のネットワーク装置。
【請求項９】
プロセッシングユニットを経由して伝送される個別通信ポートのプロトコル分類を促進するスイッチングモジュールを備え、管理モジュールがプロセッシングユニットを初期化する通信ポートの分類を用いて、対応する通信ポートを経由して受信されるシグナルをデコードし、かつ／または対応する通信ポートを指定するシグナルをエンコードする請求項１〜６のいずれかに記載のネットワーク装置。
【請求項１０】
クロスポイントスイッチの個別シグナルチャネルを有するプロセッシングユニットとインターフェースして内部ルーティングループを形成する多数の物理層コンジットを備え、各物理層コンジットがプロセッシングユニットとクロスポイントスイッチの対応するシグナルチャネルとの間の物理層シグナル送信用の専用一方向通路を規定する請求項１〜９のいずれかに記載のネットワーク装置。
【請求項１１】
クロスポイントスイッチの個別シグナルチャネルを有するプロセッシングユニットとインターフェースして内部ルーティングループを形成する多数の物理層コンジットを備え、内部ルーティングループが各通信ポートの発信通路及びリターン通路を有する請求項１〜８のいずれかに記載のネットワーク装置。
【請求項１２】
クロスポイントスイッチの個別シグナルチャネルを有する通信ポートとインターフェースする多数の物理層コンジットを備え、各通信ポートが通信ポートとクロスポイントスイッチとの間のループを規定する２つの物理層ユニットを有する請求項１〜１０のいずれかに記載のネットワーク装置。
【請求項１３】
プロセッシングユニット及びクロスポイントスイッチの専用シグナルチャネルを有する通信ポートとインターフェースする多数の物理層コンジットを備え、管理モジュールがクロスポイントチャネル内のチャネルと相互接続して各物理層コンジット間の通信通路を確立する請求項１〜８のいずれかに記載のネットワーク装置。
【請求項１４】
管理モジュールとインターフェースする独立した管理ポートを含み、管理ポートが管理ネットワークを経由する外部コンピューティングシステムからのコンフィギュレーションコマンドの受信を促進する請求項１〜１３のいずれかに記載のネットワーク装置。
【請求項１５】
サンプルポイントから規定されたオフセット（相対位置）で指定された通信ポートを経由して受信される物理層シグナルをサンプリングしてシグナルの特性を評価し、物理層シグナルがサンプルポイントで回復できるか否かを判定するシグナル監視ユニットを含む請求項１〜１４のいずれかに記載のネットワーク装置。
【請求項１６】
ネットワーク装置がクロスポイントスイッチのチャネルを相互接続して外部コンピューティングシステムからのコンフィギュレーションコマンドの受信に応答する再構成可能なデータコンジットを構成し、前記データコンジットがプロセッシングユニットを含む内部ルーティングループ内で送信元通信ポートと宛先通信ポートを相互接続する工程；
ネットワーク装置が送信元通信ポートで物理層シグナルを受信し、送信元通信ポートからの受信された物理層シグナルをクロスポイントスイッチにルーティングし、プロセッシングユニットがルーティングループ内部でクロスポイントスイッチに接続する工程；
ネットワーク装置の前記プロセッシングユニットが、物理層シグナルをデコードし、クロスポイントスイッチからプロセッシングユニットにルーティングされた前記物理層シグナルから抽出されたデータを処理し、抽出されたデータを所定の宛先通信ポートと互換性のある通信プロトコルを用いて再エンコードする工程；及び
ネットワーク装置が、前記プロセッシングユニットから再エンコードされた物理層シグナルをクロスポイントスイッチ経由で所定の宛先通信ポートにルーティングする工程を含むネットワーク方法。
【請求項１７】
ネットワーク装置が、多数の送信元通信ポートからの物理層シグナルを別個の発信データコンジットを経由するプロセッシングユニットにルーティングする工程；
前記プロセッシングユニットが、前記物理層シグナルからデータを抽出し、前記別個の各発信データコンジットを経由して受信された抽出データを多重シグナルストリームに多重化する工程；及び
ネットワーク装置が、前記多重化されたシグナルストリームをリターンデータコンジット経由で宛先通信ポートにルーティングする工程を含む、請求項１６に記載のネットワーク方法。
【請求項１８】
前記プロセッシングユニットが、多数の送信元通信ポートを経由して受信される物理層シグナルをデコードし、デコードされたシグナルからデータフレームを抽出し、前記の各通信ポートを経由して受信されるフレームを多重データストリームにインタリーブし、かつ前記多重データストリームを宛先通信ポートと互換性のある通信プロトコルを用いてエンコードする工程を含む請求項１６または１７に記載の方法。
【請求項１９】
ネットワーク装置が規定された送信元通信ポートセットのプロセッシングユニット内で、多重ステージを最小化するクロスポイントスイッチのルーティングコンフィギュレーションを決定する工程、及びネットワーク装置が決定されたルーティングコンフィギュレーションに一致する発送データコンジットを形成する工程を含む請求項１７または１８に記載の方法。
【請求項２０】
通信ポートと、内部ルーティングループ内でプロセッシング用のクロスポイントスイッチからの物理層シグナルを受信しクロスポイントスイッチを経由してプロセッシングされたシグナルをルーティングするクロスポイントスイッチに接続されたプロセッシングユニットとの間に物理層シグナルを伝送するクロスポイントスイッチを含むネットワーク装置。